(57)【要約】【課題】利用客が利用し易い状態で案内情報等の表示、音声出力のサービスを提供する。【解決手段】実施の形態によれば、利用客の利用必要情報及び生体注目情報とパラメータ値との関係を規定する変換テーブルと、媒体発行操作に基づき、利用必要情報の入力画面を順次読み出して表示し、タッチ入力される利用必要情報に基づき変換テーブルから利用必要情報パラメータ値を取得する第１パラメータ生成手段１３Ａと、撮影手段１６で撮影された利用客の生体画像の中から注目画像を抽出し、この抽出された注目画像から利用客の生体注目情報を取得する画像処理手段１３Ｂと、利用客の生体注目情報に基づき変換テーブルから生体注目情報パラメータ値を取得する第２のパラメータ生成手段１３Ｃと、入金処理後、利用必要情報パラメータ値及び生体注目情報パラメータ値を乗車券媒体３０に記録し発行する媒体発行処理手段１３Ｅ，１８とを備えた駅務機器である。【選択図】図２
2014059829.tif 000002
【特許請求の範囲】
【請求項１】
利用客の利用必要情報及び利用客の生体注目情報とパラメータ値（カスタマイズ情報）との関係を規定する複数のパラメータ変換テーブルと、
乗車券媒体の発行操作を受けたとき、予め記憶される利用必要情報の入力画面を順次読み出して表示部に表示し、当該表示部からタッチ選択入力される利用必要情報に基づき対応する前記パラメータ変換テーブルから利用必要情報パラメータ値を取得する第１のパラメータ生成手段と、
前記利用客の生体画像を撮影する撮影手段と、
この撮影手段で撮影された生体画像の中から生体注目画像を抽出し、この抽出された生体注目画像から利用客の生体注目情報を取得する画像処理手段と、
この画像処理手段で取得された利用客の生体注目情報に基づき対応する前記パラメータ変換テーブルから生体注目情報パラメータ値を取得する第２のパラメータ生成手段と、
乗車券媒体発行に関する入金処理後、前記利用必要情報パラメータ値及び生体注目情報パラメータ値を前記乗車券媒体に順次記録し、当該乗車券媒体を発行する媒体発行処理手段と
を備えたことを特徴とする駅務機器。
【請求項２】
請求項１に記載する駅務機器において、
既に発行済みの前記乗車券媒体に対する金額積み増し操作を受けたとき、前記画像処理手段で取得された利用客の生体注目情報に基づき対応する前記パラメータ変換テーブルから生体注目情報パラメータ値を取得する第３のパラメータ生成手段と、金額積み増しの入金処理後、前記乗車券媒体に記録されている生体注目情報パラメータ値を、前記第３のパラメータ生成手段で取得された生体注目情報パラメータ値を用いて更新する手段とをさらに備えたことを特徴とする駅務機器。
【請求項３】
利用客の利用必要情報及び生体注目情報から得られる利用必要情報パラメータ値及び生体注目情報パラメータ値の他、個人情報、乗車券情報を記録するメモリ部と、外部から無線通信による読み出し要求を受けたとき、前記メモリ部に記録される情報を送信し、かつ、外部から受信された情報を前記メモリ部に書き込む券媒体処理手段とを備えた乗車券媒体。
【請求項４】
請求項３に記載の乗車券媒体において、
前記メモリ部には、予め決められたパラメータ変換項目の順序に従って各利用必要情報パラメータ値及び各生体注目情報パラメータ値をそれぞれ４ビット２値データに変換して記録していることを特徴とする乗車券媒体。
【請求項５】
請求項３に記載の乗車券媒体において、
前記メモリ部には、パラメータ変換項目ごとの文字データと、各文字データに連なる利用客の各利用必要情報パラメータ値、生体注目情報パラメータ値とを記録していることを特徴とする乗車券媒体。
【請求項６】
請求項３ないし請求項５の何れか一項に記載する構成を備えた乗車券媒体と、
この乗車券媒体に記録される利用必要情報パラメータ値、生体注目情報パラメータ値と制御指令値との関係を規定する制御指令値変換テーブルと、案内表示部及び音声出力部と、改札の扉を開閉制御する扉開閉制御部と、改札処理を実行する改札処理制御部とを有する自動改札機とを備え、
前記改札処理制御部は、
利用客が改札通過時に前記乗車券媒体を翳したとき、無線通信により当該乗車券媒体に記録される改札処理に必要な情報、前記利用必要情報パラメータ値及び前記生体注目情報パラメータ値を読み取る媒体情報読取手段と、
この媒体情報読取手段で読み取った利用必要情報パラメータ値及び生体注目情報パラメータ値に基づき、前記制御指令値変換テーブルから前記利用必要情報パラメータ値及び前記生体注目情報パラメータ値に対応する制御指令値を取り出すパラメータ制御値取得手段と、
このパラメータ制御値取得手段で取得された制御指令値のもとに、前記案内表示部に前記利用客にとって認識し易い状態で前記案内情報を表示し、また、前記音声出力部から当該利用客にとって聞き取易い状態で前記案内情報を音声出力し、さらに、当該利用客にとって適する扉開閉速度となる前記制御指令値を前記扉開閉制御部に送出する案内情報等出力制御手段と
を設けたことを特徴とする接客システム。
【請求項７】
請求項６に記載の接客システムにおいて、
前記案内表示部が自動改札機の入り側と出側に設けられている場合、
前記自動改札機の改札通路面側に設置され、利用客の所定位置通過を検知する通行検知センサと、
この通行検知センサが前記利用客の所定位置通過を検知したとき、入り側案内表示部に表示される前記所定の案内情報を出側案内表示部にシフト表示する表示切替え手段とをさらに設けたことを特徴とする接客システム。
【発明の詳細な説明】
【技術分野】
【０００１】
本発明の実施形態は、駅務機器、乗車券媒体及び接客システムに関する。
【背景技術】
【０００２】
各利用客は、鉄道機関を利用する際、自身が所持する無線式の乗車券媒体（例えば非接触型ＩＣカード）を各駅の自動改札機のカード読取部などに翳しながら改札通路を通過する。このとき、自動改札機は、利用客に対して、各種の案内情報の他、乗車券媒体の記録情報の読取り内容から改札処理結果の案内情報（通行可否情報、交通機関の利用額及び交通機関利用後の残額に対応する情報）を生成して案内表示したり、音声出力することにより、利用客に対して一定のサービスを提供している。
【０００３】
ところで、従来、改札通過時におけるサービスの提供は、全ての利用客に対して単一のサービスが前提となる。なお、例外的には年齢の高い利用客に対して、読み易い文字サイズや色を用いて案内表示する装置も存在するが、全体としてサービス内容が単一であることから、不自由な思いをする利用客も多い。
【０００４】
また、従来の他の例としては、ＩＣカード発行機（券売機）を利用して無線式の乗車券媒体の購入時または金額積み増し時に利用客毎に特化した固有操作を行うことで、所望の画像、メロディ、扉の開閉速度を選択し、乗車券媒体内のメモリ部に記録できるものもある。このような乗車券媒体を所持する利用客は、自動改札機が改札通過時に乗車券媒体内の記録内容を読み取り、記録された画像、メロディ、扉の開閉速度のもとに利用客に特化したサービスを提供することが可能である。
【０００５】
しかし、各利用客が手作業でサービス内容（画像、メロディ、扉の開閉速度）を選択しながら設定する必要があり、利用客によって手間がかかるだけでなく、子供や高齢者などによる取扱いが不便であり、さらに年齢や身体的に支障のある利用客に対して適切なサービスが提供されていなかった。
【先行技術文献】
【特許文献】
【０００６】
【特許文献１】特開２０１０−１３４７０３号公報
【発明の概要】
【発明が解決しようとする課題】
【０００７】
本発明が解決しようとする課題は、手間をかけずに利用客毎に改札通過時のサービスをカスタマイズできる駅務機器、乗車券媒体及び接客システムを提供することにある。
【課題を解決するための手段】
【０００８】
上記課題を解決するために、実施形態に係る駅務機器は、利用客の利用必要情報及び利用客の生体注目情報とパラメータ値（カスタマイズ情報）との関係を規定する複数のパラメータ変換テーブルと、乗車券媒体の発行操作を受けたとき、予め記憶される利用必要情報の入力画面を順次読み出して表示部に表示し、当該表示部からタッチ選択入力される利用必要情報に基づき対応する前記パラメータ変換テーブルから利用必要情報パラメータ値を取得する第１のパラメータ生成手段と、前記利用客の生体画像を撮影する撮影手段と、
この撮影手段で撮影された生体画像の中から生体注目画像を抽出し、この抽出された生体注目画像から利用客の生体注目情報を取得する画像処理手段と、この画像処理手段で取得された利用客の生体注目情報に基づき対応する前記パラメータ変換テーブルから生体注目情報パラメータ値を取得する第２のパラメータ生成手段と、乗車券媒体発行に関する入金処理後、前記利用必要情報パラメータ値及び生体注目情報パラメータ値を前記乗車券媒体に順次記録し、当該乗車券媒体を発行する媒体発行処理手段とを備えた構成である。
【図面の簡単な説明】
【０００９】
【図１】実施の形態に適用される駅システムの全体構成を概略的に示す図。
【図２】実施の形態に係る駅務機器の概略的なハードウエア構成を示す図。
【図３】入力情報からパラメータ値（カスタマイズ情報）に変換するためのパラメータ変換テーブルの複数例を模式的に示す図。
【図４】自動改札機の一形態例としての平面図及び側面図。
【図５】実施の形態に係る乗車券媒体と自動改札機とからなる接客システムの電気的なハードウエア構成を概略的に示す図。
【図６】パラメータ値と制御指令値との関係を規定する制御指令値変換テーブルの一例を示す図。
【図７】図２に示す駅務機器（ＩＣカード発行機）における処理の流れを説明するフロー図。
【図８】利用必要情報及び生体注目情報からパラメータ値（カスタマイズ情報）に変換する例を模式的に示す図。
【図９】実施の形態に係る乗車券媒体と自動改札機からなる接客システムの処理の流れを概略的に説明するフロー図。
【発明を実施するための形態】
【００１０】
以下、実施の形態について図面を参照して説明する。  
図１は利用客が交通機関を利用する際、各駅で利用される駅システムの全体構成を概略的に示す図である。
【００１１】
駅システムは、利用客の年齢，性別等の利用必要情報や生体情報（顔画像）からカスタマイズ情報（以下、パラメータ値と呼ぶ）を生成するＩＣカード発行機（券売機）や精算機などの駅務機器（以下、説明の便宜上、ＩＣカード発行機を例に挙げて説明する）１０と、このＩＣカード発行機１０によって生成されたパラメータ値が記録される利用客が所持する非接触型ＩＣカードなどの乗車券媒体３０と、改札通過時に乗車券媒体３０に記録されるパラメータ値を読み取って利用客にとって最適なサービスを提供する入り側自動改札機５０ｉｎ及び出側自動改札機５０ｏｕｔ（以下、自動改札機５０と総称する）とを含む構成である。
【００１２】
なお、本実施の形態においては、乗車券媒体３０を含む自動改札機５０を総称して接客システムと呼ぶ。
【００１３】
ＩＣカード発行機１０は、非接触型ＩＣカードからなる乗車券媒体３０の発行操作や既に発行済みの乗車券媒体３０の金額積み増し（金額チャージ）操作を受付けた際、利用客から入力される利用必要情報や利用客の生体情報（顔画像）から利用客のサービスを規定するパラメータ値を生成する。この生成された利用客毎のパラメータ値はＩＣカード発行機１０で乗車券媒体３０に記録された後、利用客に発行する。
【００１４】
図２はＩＣカード発行機１０の要部となる電気的なハードウエア構成を示す図である。
【００１５】
ＩＣカード発行機１０は、ＲＯＭ１１、データベース１２、ＣＰＵで構成される発券処理部１３、例えばタッチスイッチ１４を備えた表示部１５、撮像カメラを備えた撮像部１６、発券処理部１３で処理された料金を収受する機能を備えた料金収受部１７、発券処理部１３で取得された利用客に関するパラメータ値を書き込んだ乗車券媒体３０を発行する券媒体発行部１８を含む構成である。なお、乗車券媒体３０としては、ＩＣカードを例にあげたが、同様の機能有するものであれば、例えばＩＣカードの定期券媒体、非接触型ＩＣカード機能を内蔵した携帯端末も含むものである。
【００１６】
ＲＯＭ１１は、発券処理部１３による発券処理の手順（例えば後記する図７参照）を規定するプログラムデータが記憶される。
【００１７】
データベース１２には、少なくとも図３に模式図で示す複数のパラメータ変換テーブルを有するパラメータ変換データ記憶部１２ａ、運賃データを記憶する運賃データ記憶部１２ｂ、利用客から取得したいパラメータ用の利用必要情報（例えば年齢，性別等）を含む個人情報に関する入力画面データを記憶する入力画面データ記憶部１２ｃその他必要なデータ（処理途中のデータ）を記憶する領域が設けられている。
【００１８】
パラメータ変換データ記憶部１２ａには、券媒体購入操作時に表示部１５に表示される入力画面の表示内容に従って、タッチスイッチ１４から入力される利用客の年齢に応じて、扉の開閉速度に関するパラメータ値（図３（ａ）参照）、自動改札機５０の音声出力部（スピーカ）から出力する音量に関するパラメータ値（図３（ｂ）参照）、利用客の顔画像の生体注目画像（耳領域）から得られる生体注目情報である補聴器有りのときに図３（ｂ）に代わる修正音量パラメータ値（図３（ｃ）参照）、同じく利用客の顔画像の中から生体注目情報（両眼を含む周辺領域）から得られる生体注目情報である眼鏡有りのとき文字サイズに関するパラメータ（図３（ｄ）参照）を生成する。
【００１９】
なお、図３に示すパラメータ変換テーブルは、一例として述べたものであって、例えば撮影部１６で撮影されたカラーの顔画像からどんな色の眼鏡を掛けているかに応じて表示文字の色に関するパラメータ値を取り出すテーブルを設けてもよい。すなわち、眼鏡の色から見やすくする色データを用いて、改札通過時の案内情報を表示する。
【００２０】
発券処理部１３は、機能的には、第１のパラメータ生成手段１３Ａ、画像処理手段１３Ｂ、第２のパラメータ生成手段１３Ｃ、入金処理手段１３Ｄ及び媒体発行処理手段１３Ｅが設けられている。
【００２１】
第１のパラメータ生成手段１３Ａは、表示部１５に表示される入力画面の表示内容に従って、タッチスイッチ１４から選択入力される利用客の年齢に応じて、図３（ａ），（ｂ）に示すパラメータ変換テーブルから利用客の扉開閉速度や音量のパラメータ値を生成する機能をもっている。
【００２２】
画像処理手段１３Ｂは、撮像部１６で撮影された利用客の顔画像の中から生体注目画像（例えば耳領域、両眼を含む周辺領域など）から生体注目情報となる補聴器有無や眼鏡有無を判定結果を取り出す。
【００２３】
第２のパラメータ生成手段１３Ｃは、画像処理手段１３Ｂの判定結果に基づき補聴器有りや眼鏡有りのとき、図３（ｃ），（ｄ）に示すパラメータ変換テーブルから利用客の音量や文字サイズに関するパラメータ値を生成する機能をもっている。
【００２４】
入金処理手段１３Ｄは、媒体購入操作に基づき、表示部１５に順次表示される入力画面に従って、タッチスイッチ１４から例えば乗車区間、経由駅、有効期間などを入力し、運賃データ記憶部１２ｂに記憶される運賃データのもとに利用料金を演算して提示し、料金収受部１７に対する現金（紙幣及び硬貨）の投入を促す処理を行う。プリペイドカードについても略同様な操作のもとに金額の積み増しを行う。
【００２５】
媒体発行処理手段１３Ｅは、入金処理完了後、年齢などに応じて生成された利用客の両必要情報パラメータ値や生体注目情報パラメータ値を、例えば予め決められた順序に従って乗車券媒体３０の所定領域に順次記録し、さらに改札処理上必要な個人情報や乗車券情報を記録する機能を有する。
【００２６】
次に、自動改札機５０について図４を参照して説明する。
【００２７】
図４は自動改札機５０の外観を示す平面図（ａ）及び側面図（ｂ）である。
【００２８】
この自動改札機５０は、改札機本体部上面の一端部（利用客入口側）には乗車券媒体３０を投入する投入口５１が設けられ、さらに投入口５１前方にはアンテナ５２が設けられている。アンテナ５２は、例えばループ状アンテナなどで構成され、利用客が所持する無線式の乗車券媒体（ＩＣカード）３０を翳したとき、乗車券媒体３０に記録される例えば利用客に応じたパラメータ値を無線通信により受信したり、乗車券媒体３０に対して必要なデータを送信して書き込んだり、書替える機能をもっている。
【００２９】
このアンテナ５２の下流側近傍には入口側案内表示部５３ａ及び改札機本体部の出口側上面部には出口側案内表示部５３ｂが設けられている。
【００３０】
案内表示部５３ａ，５３ｂには、乗車券媒体３０に記録される利用客に最適なパラメータ値に応じて、利用客に対する各種の案内情報や改札処理結果の案内情報を読み易い状態で表示する。また、利用客などに対する各種の案内情報や改札処理の案内情報は、改札機本体部の利用客通行側に面する側に設置される音声出力部（スピーカ）５４から聞き易い音量で出力される。
【００３１】
前記案内情報としては、例えば改札通路の通行を許可する旨の情報（通行判定ＯＫ）、改札通路の通行を阻止する旨の情報（通行判定ＮＧ）、改札処理で利用された利用額に対応する情報、利用可能金額から利用額を引き去った後の残額に対応する情報などである。
【００３２】
図４において、５６は必要に応じて投入口５１から投入された乗車券媒体３０を排出する取出口、５７、５７は利用客の通行を制御する扉であって、通行可否の判定結果に基づき、扉５７、５７が開閉制御される。５８−１〜５８−５は利用客の通行位置を検知する通行検知センサである。
【００３３】
次に、図５は乗車券媒体３０と自動改札機５０の電気的なハードウエア構成を概略的に示す図である。
【００３４】
乗車券媒体３０は、メモリ部３１と、ＣＰＵで構成される券媒体処理部３２と、送受信制御部３３とが設けられ、送受信制御部３３にはアンテナ３４が接続されている。メモリ部３１は、券媒体処理部３２の処理手順を規定するプログラムや図２に示すＩＣカード発行機１０の発券処理部１３の媒体発行処理手段１３Ｅ及び券媒体発行部１８を通して書込まれた各変換項目のパラメータ値（カスタマイズ情報）が記録されている。
【００３５】
券媒体処理部３２は、外部からの要求に応じてメモリ部３１から必要な要求情報（パラメータ値、所持金額情報など）を送信したり、書込み要求に従って外部から受信した情報をメモリ部３１に書き込む処理を行う。
【００３６】
送受信制御部３３及びアンテナ３４は外部装置である自動改札機５０との間でデータの送受信を行う機能を有する。
【００３７】
次に、自動改札機５０は、ＲＯＭ６１、ＣＰＵで構成される改札処理制御部６２、ＲＡＭ６３、人間検知部６４、案内表示部５３（図４参照）、音声出力部５４（図４参照）、扉開閉制御部６５、伝送制御部６６、媒体Ｒ／Ｗ部６７を含む構成である。媒体Ｒ／Ｗ部６７にはアンテナ５２が接続されている。
【００３８】
ＲＯＭ６１には改札処理制御部６２による処理手順を規定するプログラムが格納されている。
【００３９】
改札処理制御部６２は、乗車券媒体３０の受付け後、利用客の改札通過に関連する一連の処理を実行するもので、具体的には後記する。
【００４０】
ＲＡＭ６３には、少なくとも図６に示すように各変換項目（扉開閉速度、音量、文字サイズ、文字の色、…）のパラメータ値「１」〜「６」とそのパラメータ値「１」〜「６」に対する制御指令値××との関係を規定する制御指令値変換テーブル６３ａが設けられている。
【００４１】
人間検知部６４は、図４（ｂ）に示す通行検知センサ５８−１〜５８−５に相当するものであって、通行検知センサ５８−１、５８−５（入・出口側通行検知センサ）はそれぞれ投入口５１の部分、案内表示部５３ｂの部分を通過する利用客を検知し、通行検知センサ５８−２、５８−４（進行通行検知センサ）はそれぞれアンテナ５２の部分、媒体取出口５６の部分を通過する利用客を検知する。通行検知センサ５８−３（中央通行検知センサ）は改札通路の中央を通過する利用客を検知する。
【００４２】
案内表示部５３は、図４（ｂ）に示す自動改札機５０の入口側案内表示部５３ａ及び出口側案内表示部５３ｂに相当する。
【００４３】
音声出力部５４は、図４（ｂ）に示すように自動改札機５０の例えば通路側に面に設けられたスピーカに相当する。
【００４４】
扉開閉制御部６５は、利用客が自動改札機５０の通路を通過する際、改札処理結果に応じて出力される扉開閉制御指令に従って扉５７を開閉制御する。
【００４５】
伝送制御部６６は、各駅の自動改札機５０を含むＩＣカード発行機１０を統括管理する管理サーバ（図示せず）があれば、当該管理サーバとの間で通信し、各種データの交換等を行う。
【００４６】
媒体Ｒ／Ｗ部６７は、改札処理制御部６２の後記する媒体情報読取手段の一部を構成する無線式のリーダ／ライタであって、アンテナ５２を介してアンテナ３４を備えた乗車券媒体３０と交信し、乗車券媒体３０に記録された情報を読み取り、または当該乗車券媒体３０に対して必要な情報を記録する。
【００４７】
前記改札処理制御部６２は、機能的には少なくとも、利用客が自動改札機５０のアンテナ５２に乗車券媒体３０を翳したとき、その乗車券媒体３０から利用者自身に最適なパラメータ値を含む必要情報を読み取る媒体情報読取手段６２Ａと、媒体情報読取手段６２Ａで読み取った利用者パラメータ値に従って、改札機５０に設置される案内表示部５３に表示する文字サイズ、文字色、音声出力部５４から出力する音量、扉開閉制御部６５に対する扉開閉速度等に関する制御指令値を取得し設定するパラメータ制御値取得手段６２Ｂと、利用客の改札通過時にパラメータ制御値取得手段６２Ｂで設定された制御指令値に従って案内情報の表示、扉開閉の制御及び案内情報の音声を出力する情報等出力制御手段６２Ｃとを有する。
【００４８】
次に、以上のような駅システムの処理手順について、図面を参照して説明する。
【００４９】
（１）  ＩＣカード発行機（駅務機器）１０の処理手順について、図７を参照して説明する。
【００５０】
ＩＣカード発行機１０は、動作が開始すると、利用客が乗車券購入操作を行ったか否かを判断する（Ｓ１）。ここで、乗車券購入操作を行っていないと判断したとき、金額積み増し操作か否かを判断する（Ｓ２）。金額積み増し操作も行われていないとき、ステップＳ１に戻る。
【００５１】
ステップＳ１において、乗車券（ＩＣカード）の発行操作を行っていると判断したとき、発券処理部１３の第１のパラメータ値（カスタマイズ情報）生成手段１３Ａを実行する。
【００５２】
第１のパラメータ生成手段１３Ａは、画面データ記憶部１２ｃから予め定める順序に従って利用必要情報入力画面データを読み出し、表示部１５に表示する（Ｓ３）。利用客は、表示部１５に表示される利用必要情報（年齢）の入力画面に基づき、自身の年齢に相当する表示部分のタッチスイッチ１４をタッチ選択すると、利用客の年齢情報が入力される（Ｓ４）。
【００５３】
しかる後、第１のパラメータ生成手段１３Ａは、年齢情報がパラメータ変換項目に該当するか否かを判断し（Ｓ５）、パラメータ変換項目に該当する場合には、年齢情報に基づき、データベース１２のパラメータ変換データ記憶部１２ａに記憶されるパラメータ変換テーブルの例えば図３（ａ），（ｂ）を参照し、例えば扉の開閉速度のパラメータ値及び音量のパラメータ値に変換し、データベース１２の所定の領域に利用者年齢、扉開閉速度パラメータ値、音量パラメータ値を記憶する。例えば年齢が６５歳であれば、扉開閉速度パラメータ値「２」、音量パラメータ値「４」を取得し、データベース１２の所定領域に記憶する（Ｓ６）。
【００５４】
また、利用必要情報として、図８に示すように性別を必要とする場合、利用必要情報（性別）の入力画面に基づき、利用客は自身の性別に相当する表示部分のタッチスイッチ１４にタッチ選択すると、性別情報が入力される。この場合、図示されていないが、女性の場合にはパラメータ変換テーブル（図示せず）を参照して男性よりも例えば扉開閉速度パラメータ値を１レベル値ずつ下げるような開閉速度パラメータ値に変換してもよい。また、利用必要情報としては、住所、電話番号、発行条件（利用区間、定期区間等）を必要とする場合もある。
【００５５】
なお、データベース１２内に予めＩＣカードに相当する記憶領域を備えた模擬カードが形成され、当該模擬カードの対応する領域に順次扉開閉速度パラメータ値「２」、音量パラメータ値「４」を一時的に記憶するようにしてもよい。
【００５６】
第１のパラメータ生成手段１３Ａは、画面データ記憶部１２ｃに記憶される利用必要情報の入力画面データの全てを表示したか否かを判断する（Ｓ７）。
【００５７】
発券処理部１３は、利用必要情報の入力画面データの全てを表示し、かつ、パラメータ変換項目に関する利用必要情報に対するパラメータ値の変換が終了すると、画像処理手段１３Ｂを実行する。
【００５８】
画像処理手段１３Ｂは、撮影部１６に対して撮影制御指令を送出し、撮影部１６から撮影された利用客の生体画像である顔画像を取得する。さらに、画像処理手段１３Ｂは、撮影された利用客の生体画像（顔画像）の中から、予め定める注目領域の生体注目画像（例えば耳領域の画像、両眼近傍領域の画像等）を取得し、データベース１２に記憶する（Ｓ８）。
【００５９】
発券処理部１３は、生体注目画像を記憶した後、第２のパラメータ（カスタマイズ情報）生成手段１３Ｃを実行する。
【００６０】
第２のパラメータ生成手段１３Ｃは、生体注目画像から生体注目情報の有無を判断する（Ｓ９）。ここで、当該生体注目情報から補聴器（変換項目）の有無を判定し（Ｓ１０）、補聴器有りの場合には図３（ｃ）に示すパラメータ変換テーブルから年齢を考慮した音量パラメータ値に変換し、データベース１２の所定領域に記録する（Ｓ１１）、（図８参照）。
【００６１】
引き続き、第２のパラメータ生成手段１３Ｃは、全部の生体注目情報のパラメータ変換が完了したか判断し（Ｓ１２）、未だ生体注目情報有りと判断したとき、ステップＳ１０に戻って両眼近傍領域画像から次の生体注目情報である眼鏡の有無を判定し（Ｓ１０）、眼鏡有りの場合には図３（ｄ）に示すパラメータ変換テーブルから年齢を考慮した文字サイズのパラメータ（例えばフォント値）に変換し、データベース１２の所定領域に記録する（Ｓ１１）。
【００６２】
さらに、発券処理部１３は、乗車券購入に対する入金処理手段１３Ｄを実行する。入金処理手段１３Ｄについては従来周知の技術を用いて入金処理する。入金処理手段１３Ｄは、前述する利用必要情報入力画面データによる表示部１５の案内表示及びタッチスイッチ１５による入力操作に基づき（Ｓ３〜Ｓ７）、利用必要情報の中の個人情報及び発行条件データなどが入力されているので、利用者固有のＩＤ番号（識別情報）を生成し、さらに入力された個人情報、乗車券情報（乗車区間、定期区間等）を生成し、データベース１２の所定領域に記録する（Ｓ１３）。
【００６３】
引き続き、発券処理部１３は媒体発行処理手段１３Ｅを実行する。媒体発行処理手段１３Ｅは、データベース１２の所定領域に記録されるＩＤ番号（識別情報）、個人情報、乗車券情報を乗車券媒体３０のメモリ部３１に記録する他、予め定めるパラメータ変換項目の順序に従って各変換項目毎のパラメータ値を４ビット２値データに変換し、券媒体発行部１８を介して乗車券媒体３０に書き込むことにより、乗車券媒体３０を発行する。
【００６４】
以上は、発券処理部１３による媒体購入操作について説明したが、ステップＳ２において、金額積み増す操作の場合には既に発行済みの乗車券媒体３０に利用必要情報の各変換項目のパラメータ値が記録されているので、ステップＳ３〜Ｓ７の処理を省略し、直ちにステップＳ８に移行し、利用者の生体注目情報に従って変換項目のパラメータ値を生成し、利用客のパラメータ値を書替え更新する。
【００６５】
なお、各変換項目のパラメータ値を４ビット２値データに変換し、乗車券媒体３０に所定の順序で記録したが、例えば変換項目ごと、例えば扉開閉速度Ａ＋パラメータ値、音量Ｂ＋パラメータ値、補聴器Ｃ＋パラメータ値等のように、文字コード＋パラメータ値に変換し、乗車券媒体３０の所定領域に記録するようにすれば、予め定める変換項目の順序によらずにランダムに記録することができる。自動改札機５０は、文字コード「Ａ」，「Ｂ」…から変換項目を読み取った後、文字コードに付随するパラメータ値から後記するように制御指令値を取得するようにすればよい。
【００６６】
（２）  次に、乗車券媒体３０を含む自動改札機（接客システム）５０の処理手順について、図９を参照して説明する。
【００６７】
利用客は、駅構内から駅構外に出る際、自動改札機５０を通過する。自動改札機５０の改札処理制御部６２は、入り側通行検知センサ５８−１を有する人間検知部６４の出力から利用客の改札通過を検知する（Ｓ２１）。このとき、利用客が所持する乗車券媒体３０をアンテナ５２に向けて翳すと、アンテナ５２及び媒体Ｒ/Ｗ部６７を通して乗車券媒体３０と無線交信することにより媒体受付けを確認する（Ｓ２２）。
【００６８】
改札処理制御部６２は、媒体受付け確認後、媒体情報読取手段６２Ａを実行する。媒体情報読取手段６２Ａは、無線通信により乗車券媒体３０から利用客のＩＤ番号、個人情報、乗車券情報の他、乗車券媒体３０から所定の順序に従ってパラメータ変換項目となる利用必要情報及び生体注目情報の４ビットごとの各変換パラメータ値を読み出し、ＲＡＭ６３に格納する（Ｓ２３）。
【００６９】
引き続き、改札処理制御部６２は、パラメータ制御値取得手段６２Ｂを実行する。パラメータ制御値取得手段６２は、変換項目のパラメータ値ごとに図６に示す制御指令値変換テーブル６３ａを参照し、各変換項目（扉開閉速度，音量，文字サイズ，文字色等）のパラメータ値に応じた制御指令値を取り出し、各変換項目ごとの制御指令値をＲＡＭ６３などに設定する（Ｓ２４）。
【００７０】
さらに、改札処理制御部６２は、乗車券媒体３０から取得した乗車券情報に基づく従来公知の出場又は入場の改札処理を行い（Ｓ２５）、この改札処理の結果に基づき、例えば出場許可か否かを判断する（Ｓ２６）。
【００７１】
ここで、改札処理の結果に基づき、例えば出場不成功であれば、ＲＡＭ６３から扉開閉速度に関する制御指令値を読み出して扉開閉制御部６５に送出し、利用客の最適な開閉速度で扉５７を閉じるとともに（Ｓ２７）、ＮＧによる案内情報等出力制御手段６２Ｃを実行する。
【００７２】
ＮＧによる案内情報等出力制御手段６２Ｃは、文字サイズに関する制御指令値に基づき、利用客が見やすい文字サイズで案内表示部５３ａ（図４（ａ）参照）に表示し、また、音量に関する制御指令値に基づき、音声出力部５３を通して理解し易い，聞き安い音量で出力し、ＮＧとなった根拠などを提供する（Ｓ２８）。
【００７３】
一方、ステップＳ２６において、改札処理の結果に基づき、出場許可有りと判断したとき、出場ＯＫによる案内情報等出力制御手段６２Ｃを実行する。
【００７４】
この出場ＯＫによる案内情報等出力制御手段６２Ｃは、乗車券媒体３０から取得した乗車券情報に基づき、乗車券媒体３０の利用金額、残金、有効期間等必要なサービス情報を、利用客の変換項目（文字サイズ）レベル値に応じた文字サイズに関する制御指令値を読み出し、利用客が見やすい文字サイズで入り側案内表示部５３ａ（図４（ａ）参照）に表示する。
【００７５】
また、利用客の変換項目（音量）のパラメータ値に応じた文字サイズに関する制御指令値を読み出し、音声出力部５３を通して理解し易い音量で案内情報（サービス）を音声出力する（Ｓ２９）。
【００７６】
引き続き、改札処理制御部６２は、例えば利用客が中央通行検知センサ５８−３を有する人間検知部６４の出力から改札通路中央通過を検知すると（Ｓ３０）、出場ＯＫによる案内情報等出力制御手段６２Ｃは、少なくとも入り側案内表示部５３ａの表示内容を出側案内表示部５３ａ（図４（ａ）参照）にシフト移動表示する（Ｓ３１）。なお、再度、音声案内を行ってもよい。
【００７７】
さらに、改札処理制御部６２は、必要に応じて中央通行検知センサ５８−４と進行通行検知センサ５８−４を通行する先行利用客及び後行利用客の検知信号から後行利用客が先行利用客に接近し、かつ、かつ後行利用客の不正通過の可能性があると判断したとき（Ｓ３２、Ｓ３３）、先行利用客が出口側通行検知センサ５８−５による通過検知を前提とし（Ｓ３４）、扉開閉制御部６５を介して扉５７を閉制御する（Ｓ３５）。
【００７８】
なお、上記実施の形態では、乗車券媒体３０に変換項目ごとに４ビット２値データで記録されている例について説明したが、例えば変換項目ごとの文字データにパラメータ値が記録されている場合には、自動改札機５０は文字データから変換項目を把握できるので、乗車券媒体３０にランダムに文字データ＋パラメータ値が記憶されていても、容易に変換項目のパラメータ値を制御指令値に変換できる。
【００７９】
従って、以上のような実施の形態によれば、乗車券媒体３０の購入操作を受けると、所定の順序で利用必要情報の入力画面を表示し、その入力画面から利用客の利用必要情報を入力させてパラメータ値（カスタマイズ情報）に変換し、また利用客の顔画像の中の生体注目画像から生体注目情報を取り出してパラメータ値（カスタマイズ情報）に変換し、これらパラメータ値（カスタマイズ情報）を乗車券媒体３０に記録するので、利用客に属する利用必要情報及び生体注目情報に応じたパラメータ値を乗車券媒体３０に記録して発行することができる。従って、複雑な手作業で必要とせずに、利用客ごとに最適な案内表示及び音声出力可能な差別化されたパラメータ値を記録することができる。
【００８０】
また、自動改札機５０は、改札通過時に乗車券媒体３０を翳したとき、乗車券媒体３０に記録されるパラメータ値から制御指令値に変換し、利用客自身が最適とする扉開閉速度で扉を開閉制御でき、また利用客自身が見やすい状態で案内表示部５３に案内情報を表示でき、さらに利用客自身が聞き易い状態で音声出力部５４から案内情報を音声出力できる。
【００８１】
なお、上記全ての実施の形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１０…駅務機器（ＩＣカード発行機）、５０…自動改札機、１２…データベース、１２ａ…パラメータ変換データ記憶部、１２ｂ…運賃データ記憶部、１２ｃ…入力画面データ記憶部、１３…発券処理部、１３Ａ…第１のパラメータ生成手段、１３Ｂ…画像処理手段、１３Ｃ…第２のパラメータ生成手段、１３Ｄ…入金処理手段、１３Ｅ…媒体発行処理手段、１５…表示部、１４…タッチスイッチ、１６…撮像部、１８…券媒体発行部、３０…乗車券媒体、３１…メモリ部、３２…券媒体処理部、３４…アンテナ、５０…自動改札機、５２…アンテナ、５３（５３ａ，５３ｂ）…案内表示部、５４…音声出力部、５７…扉、５８−１〜５８−５…通行検知センサ、６２…改札処理制御部、６２Ａ…媒体情報読取手段、６２Ｂ…パラメータ制御値取得手段、６２Ｃ…案内情報等出力手段、６３…ＲＡＭ、６３ａ…制御指令値変換テーブル、６４…人間検知部、６７…媒体Ｒ／Ｗ部。
【図１】
2014059829.tif 000003
【図２】
2014059829.tif 000004
【図３】
2014059829.tif 000005
【図４】
2014059829.tif 000006
【図５】
2014059829.tif 000007
【図６】
2014059829.tif 000008
【図７】
2014059829.tif 000009
【図８】
2014059829.tif 000010
【図９】
2014059829.tif 000011